(57)【要約】  本発明は、アミド化合物と非イオン性界面活性剤とを含有するアジュバントに関する。本発明は、更に、前記アジュバントとラテックスポリマーとを含有する水性組成物にも関する。【選択図】なし【特許請求の範囲】
【請求項１】
アジュバントとラテックスポリマーとを含有し、前記アジュバントが（Ａ）アミド化合物と（Ｂ）非イオン性界面活性剤とを含む水性組成物であって、
前記アミド化合物が一般式：
Ｒ１−（Ｃ＝Ｏ）−Ｎ（Ｒ２）（Ｒ３）  （Ｉ）
（式中、Ｒ１は、Ｃ４〜Ｃ２２の飽和又は不飽和の直鎖又は分岐の脂肪族炭化水素基を表し、
Ｒ２及びＲ３は、水素、又はＣ１〜Ｃ４の飽和若しくは不飽和の直鎖若しくは分岐の脂肪族炭化水素基を表す）
によって表され、
前記非イオン性界面活性剤が１３〜１８の範囲のＨＬＢ値を有する、水性組成物。
【請求項２】
前記ラテックスポリマーが、アクリル酸、アクリル酸エステル、メタクリル酸、及びメタクリル酸エステルからなる群から選択される少なくとも１種のアクリルモノマー由来である、請求項１に記載の水性組成物。
【請求項３】
顔料を更に含有する、請求項１又は２に記載の水性組成物。
【請求項４】
前記アミド化合物が、一般式：
Ｒ１−（Ｃ＝Ｏ）−Ｎ（Ｒ２）（Ｒ３）  （ＩＩ）
（式中、Ｒ１は、Ｃ４〜Ｃ２２の飽和又は不飽和の直鎖又は分岐の脂肪族炭化水素基を表し、
Ｒ２及びＲ３はメチルである）
によって表される、請求項１〜３のいずれか１項に記載の水性組成物。
【請求項５】
（Ａ）／（Ｂ）の重量比が２：３〜１９：１の範囲である、請求項１〜４のいずれか１項に記載の水性組成物。
【請求項６】
前記非イオン性界面活性剤が、一般式：
Ｒ４−（ＯＣＨ２ＣＨ２）ｎ−ＯＨ  （ＩＩＩ）
（式中、Ｒ４は、Ｃ８〜Ｃ１４アルキルであり、
ｎは５〜１００の整数である）
により表される化合物である、請求項１〜５のいずれか１項に記載の水性組成物。
【請求項７】
前記アミド化合物が一般式：
Ｒ１−（Ｃ＝Ｏ）−Ｎ（Ｒ２）（Ｒ３）  （ＩＩ）
（式中、Ｒ１はＣ４〜Ｃ２２の飽和又は不飽和の直鎖又は分岐の脂肪族炭化水素基を表し、
Ｒ２及びＲ３はメチルである）
によって表され、
前記非イオン性界面活性剤が、一般式：
Ｒ４−（ＯＣＨ２ＣＨ２）ｎ−ＯＨ  （ＩＩＩ）
（式中、Ｒ４は、Ｃ８〜Ｃ１４アルキルであり、
ｎは５〜１００の整数である）
によって表される化合物である、請求項１〜６のいずれか１項に記載の水性組成物。
【請求項８】
前記アミド化合物が一般式：
Ｒ１−（Ｃ＝Ｏ）−Ｎ（Ｒ２）（Ｒ３）  （ＩＩ）
（式中、Ｒ１はＣ４〜Ｃ２２の飽和又は不飽和の直鎖又は分岐の脂肪族炭化水素基を表し、
Ｒ２及びＲ３はメチルである）
によって表され、
前記非イオン性界面活性剤が、一般式：
Ｒ４−（ＯＣＨ２ＣＨ２）ｎ−ＯＨ  （ＩＩＩ）
（式中、Ｒ４は、Ｃ１１〜Ｃ１４アルキルであり、
ｎは８〜４０の整数である）
によって表される化合物である、請求項１〜７のいずれか１項に記載の水性組成物。
【請求項９】
前記アミド化合物が一般式：
Ｒ１−（Ｃ＝Ｏ）−Ｎ（Ｒ２）（Ｒ３）  （ＩＩ）
（式中、Ｒ１はＣ６〜Ｃ１２の飽和又は不飽和の直鎖又は分岐の脂肪族炭化水素基を表し、
Ｒ２及びＲ３はメチルである）
によって表され、
前記非イオン性界面活性剤が、一般式：
Ｒ４−（ＯＣＨ２ＣＨ２）ｎ−ＯＨ  （ＩＩＩ）
（式中、Ｒ４は、Ｃ１１〜Ｃ１４アルキルであり、
ｎは８〜４０の整数である）
によって表される化合物である、請求項１〜８のいずれか１項に記載の水性組成物。
【請求項１０】
アニオン性界面活性剤、カチオン性界面活性剤、及び両性界面活性剤から選択される１種以上の追加的な界面活性剤を更に含有する、請求項１〜９のいずれか１項に記載の水性組成物。
【請求項１１】
前記１種以上の追加的な界面活性剤が硫酸エステル塩である、請求項１０に記載の水性組成物。
【請求項１２】
（Ａ）アミド化合物と、（Ｂ）非イオン性界面活性剤とを混合する工程を少なくとも含む、請求項１〜１１のいずれか１項に記載の水性組成物の調製方法。
【請求項１３】
前記水性組成物中に存在する前記アミド化合物と前記非イオン性界面活性剤の総重量が前記水性組成物の総重量を基準として０．０１〜５％の範囲である、請求項１〜１２のいずれか１項に記載の水性組成物。
【請求項１４】
請求項１〜１０のいずれか１項に記載のアジュバントを水と混合する工程を含む、水性組成物の調製方法。
【発明の詳細な説明】
【技術分野】
【０００１】
関連出願の相互参照
本出願は、２０１７年４月１９日に出願された国際出願ＰＣＴ／ＥＰ２０１７／０５９２８０号に基づく優先権を主張するものであり、両出願の全内容は参照により本明細書に組み込まれる。
【０００２】
参照により本明細書に組み込まれる任意の特許、特許出願、及び刊行物の開示が用語を不明瞭にさせ得る程度まで本出願の記載と矛盾する場合は、本記載が優先するものとする。
【０００３】
本発明はアジュバントに関し、特には界面活性アジュバントに関する。本発明は、ラテックスポリマーと前記アジュバントとを含有する水性組成物にも関する。
【背景技術】
【０００４】
界面活性剤は、水性コーティングなどの水性配合物において広く使用されている。現代の界面活性剤は、多くの場合、使用される具体的な用途の性能要件に合わせて特別に調整された特性を有している。
【０００５】
界面活性剤を利用するいくつかの工業プロセスは、例えば印刷、ロールコーティング、カーテンコーティング、インクジェット、スプレーコーティングなどの用途において、新しい表面の形成速度が速い動的表面条件を含む。そのようなプロセスは、典型的には塗布された配合物に含まれる界面活性剤が表面張力を効果的に低下させる能力、基材を迅速に濡らす能力、乳化及び／又は分散を促進する能力などを示すことを必要とする。ある溶液の表面張力を下げる能力を測定するためには、動的表面張力（ＤＳＴ）が通常使用される。
【０００６】
例えば、米国特許第５，３２８，８８４号明細書には、乳化剤／分散剤としてのアミド化合物を含有する発色剤組成物が開示されている。
【０００７】
極性有機溶媒は、水性配合物の表面張力を低下させるのに有用であることも知られている。しかしながら、有機溶媒の使用は、得られる配合物のＶＯＣ（揮発性有機化合物）含有率が高いなどの一定の欠点を有している。
【０００８】
水性コーティング組成物などの水性組成物の表面張力を低下させる効果が高い新規な界面活性剤系を提供することが必要とされている。水性組成物の表面張力を低用量で効果的に低下させることができる新規な界面活性剤系を提供することが必要とされている。界面活性剤系が水性配合物に配合された場合に、優れた混和性と組み合わせられた低い表面張力をもたらすことができる新規な界面活性剤系を提供することが必要とされている。低い表面張力及び関連する利益を有する水性コーティング組成物を提供することが必要とされている。
【発明の概要】
【０００９】
一態様では、本発明は、（Ａ）アミド化合物と（Ｂ）非イオン性界面活性剤とを含有するアジュバント、特には表面活性アジュバントであって、
アミド化合物が一般式：
Ｒ１−（Ｃ＝Ｏ）−Ｎ（Ｒ２）（Ｒ３）  （Ｉ）
（式中、Ｒ１は、Ｃ４〜Ｃ２２の飽和又は不飽和の直鎖又は分岐の脂肪族炭化水素基を表し、
Ｒ２及びＲ３は、独立して水素、又はＣ１〜Ｃ４の飽和若しくは不飽和の直鎖若しくは分岐の脂肪族炭化水素基を表す）
によって表され、
非イオン性界面活性剤が１３〜１８の範囲のＨＬＢ値を有する、
アジュバントを提供する。
【００１０】
いくつかの実施形態では、アミド化合物は一般式：
Ｒ１−（Ｃ＝Ｏ）−Ｎ（Ｒ２）（Ｒ３）  （ＩＩ）
（式中、Ｒ１は、Ｃ４〜Ｃ２２の飽和又は不飽和の直鎖又は分岐の脂肪族炭化水素基を表し、
Ｒ２及びＲ３はメチルである）
によって表される。
【００１１】
いくつかの実施形態では、非イオン性界面活性剤は、一般式：
Ｒ６−（ＯＣＨ２ＣＨ２）ｎ−ＯＨ  （ＩＩＩ）
（式中、Ｒ６は、Ｃ８〜Ｃ１４アルキル、好ましくはＣ１１〜Ｃ１４アルキルであり、
ｎは、５〜１００、好ましくは５〜５０、更に好ましくは８〜４０の整数である）
によって表される化合物である。
【００１２】
本発明の別の態様では、前記アジュバント及びラテックスポリマーを含有する水性組成物、特に水性コーティング組成物が提供される。アジュバントは、水性組成物に配合されると、表面張力を効果的且つ迅速に低下させることができる。水性組成物は、優れた混和性も提供することができる。また、アジュバントが配合された水性組成物は低い表面張力を有することも見出された。これは組成物が相間で広がるのを助け、水性組成物が使用される用途に応じて、迅速な濡れ、優れた洗浄、分散、及び乳化などの利益をもたらす。
【００１３】
水性組成物は、顔料を更に含有していてもよい。
【００１４】
水性組成物は、バインダー、塗料、インク、接着剤などのコーティングのために使用することができる。ポリマーとしては、限定するものではないが、水性の完全にアクリルであるコポリマー、スチレン−アクリルコポリマー、酢酸ビニル−アクリルコポリマー、酢酸ビニル−エチレンコポリマー、ポリ酢酸ビニル、ポリビニルアクリレート、アルキド、エポキシ、及びポリウレタン分散液を挙げることができる。他の同様のポリマーも使用することができる。
【発明を実施するための形態】
【００１５】
特許請求の範囲を含めて、本説明の全体にわたって、用語「１つを含む」又は「を含む」は、特に明記しない限り、用語「少なくとも１つを含む」と同じ意味であると理解されるべきであり、「〜」は、その両端を含むと理解されるべきである。
【００１６】
濃度、重量比、又は量の任意の範囲の指定において、任意の具体的な上側の濃度、重量比、又は量は、それぞれ任意の具体的な下側の濃度、重量比、又は量と関連付けできることに留意すべきである。
【００１７】
冠詞「ａ」、「ａｎ」及び「ｔｈｅ」は、冠詞の文法的対象の１つ又は２つ以上（即ち、少なくとも１つ）を指すために使用される。
【００１８】
用語「及び／又は」は、「及び」、「又は」の意味並びにこの用語に関連する要素の他の可能な組み合わせを全て包含する。
【００１９】
本明細書で使用される場合、有機基に関する専門用語「（Ｃｎ−Ｃｍ）」（式中、ｎ及びｍはそれぞれ整数である）は、基が、１基あたりｎ個の炭素原子からｍ個の炭素原子までを含むことができることを示す。
【００２０】
本明細書で使用される用語「炭化水素基」は、主に炭素原子と水素原子とからなる基のことをいい、この基は飽和又は不飽和であっても、直鎖、分岐、又は環状であっても、脂肪族又は芳香族であってもよい。
【００２１】
本明細書で使用される「脂肪族炭化水素基」は、任意選択的にオレフィン不飽和の１〜２個の部位又はアセチレン性不飽和の１個若しくは２個の部位を含んでいてもよい、アルキルやアルケニルなどの直鎖又は分岐の炭化水素鎖を指す。
【００２２】
本明細書で使用される「アルキル」は、直鎖又は分岐の飽和脂肪族炭化水素基を表す基又は基の一部を意味する。適切なアルキルの例としては、メチル、エチル、ｎ−プロピル、２−プロピル、ｎ−ブチル、ｓｅｃ−ブチル、ｔ−ブチル、ヘキシルなどが挙げられる。
【００２３】
アミド化合物
本発明のアミド化合物は、一般式：
Ｒ１−（Ｃ＝Ｏ）−Ｎ（Ｒ２）（Ｒ３）  （Ｉ）
（式中、Ｒ１は、Ｃ４〜Ｃ２２の飽和又は不飽和の直鎖又は分岐の脂肪族炭化水素基を表し、
Ｒ２及びＲ３は、独立して水素、又はＣ１〜Ｃ４の飽和若しくは不飽和の直鎖若しくは分岐の脂肪族炭化水素基を表す）
によって表される。
【００２４】
一般式（Ｉ）において、Ｒ１は好ましくはＣ４〜Ｃ２０脂肪族基であり、より好ましくはＣ５〜Ｃ１６脂肪族炭化水素基であり、更に好ましくはＣ６〜Ｃ１２脂肪族炭化水素基であり、最も好ましくはＣ８〜Ｃ１０脂肪族炭化水素基である。
【００２５】
具体的には、アミド化合物は一般式：
Ｒ１−（Ｃ＝Ｏ）−Ｎ（Ｒ２）（Ｒ３）  （ＩＩ）
（式中、Ｒ１はＣ４〜Ｃ２２の飽和又は不飽和の直鎖又は分岐の脂肪族炭化水素基を表し、
Ｒ２及びＲ３はメチルである）
によって表される。
【００２６】
一般式（ＩＩ）において、Ｒ１は好ましくはＣ５〜Ｃ１６脂肪族炭化水素基であり、より好ましくはＣ６〜Ｃ１２脂肪族炭化水素基であり、更に好ましくはＣ８〜Ｃ１０脂肪族炭化水素基である。
【００２７】
アミド化合物の例としては、これらに限定するものではないが、Ｎ，Ｎ−ジ（２−エチルヘキシル）ホルムアミド、Ｎ，Ｎ−ジシクロヘキシルホルムアミド、Ｎ，Ｎ−ジフェニルホルムアミド、Ｎ，Ｎ−ジブチルアセトアミド、Ｎ，Ｎ−ジオクチルアセトアミド、Ｎ，Ｎ−ジ（２−エチルヘキシル）アセトアミド、Ｎ−［３−（２−エチルヘキシルオキシ）プロピル］アセトアミド、Ｎ，Ｎ−ジシクロヘキシルアセトアミド、Ｎ，Ｎ−ジフェニルアセトアミド、Ｎ，Ｎ−ジベンジルアセトアミド、Ｎ，Ｎ−ジ（２−エチルヘキシル）プロピオンアミド、Ｎ，Ｎ−ジシクロヘキシルプロピオンアミド、Ｎ，Ｎ−ジエチルカプリルアミド、Ｎ，Ｎ−ジブチルカプリルアミド、Ｎ，Ｎ−ジ（２−エチルヘキシル）カプリルアミド、Ｎ，Ｎ−ジシクロヘキシルカプリルアミド、Ｎ，Ｎ−ジメチルラウロイルアミド、Ｎ，Ｎ−ジエチルラウロイルアミド、Ｎ，Ｎ−ジブチルラウロイルアミド、Ｎ−（２−エチルヘキシル）ラウロイルアミド、Ｎ，Ｎ−ジ（２−エチルヘキシル）ラウロイルアミド、Ｎ−ラウリルラウロイルアミド、Ｎ，Ｎ−ジアリルラウロイルアミド、Ｎ，Ｎ−ジシクロヘキシルラウロイルアミド、Ｎ，Ｎ−ジメチルミリストイルアミド、Ｎ，Ｎ−ジエチルミリストイルアミド、パルミトイルアミド、Ｎ，Ｎ−ジメチルパルミトイルアミド、Ｎ，Ｎ−ジエチルパルミトイルアミド、ステアロイルアミド、Ｎ，Ｎ−ジメチルステアロイルアミド、Ｎ，Ｎ−ジエチルステアロイルアミド、オレオイルアミド、Ｎ，Ｎ−ジメチルオレオイルアミド、Ｎ，Ｎ−ジエチルオレオイルアミド、Ｎ，Ｎ−ジブチロオレオイルアミド、Ｎ，Ｎ−ジブチルフェノキシアセトアミド、Ｎ，Ｎ−ジ（２−エチルヘキシル）フェノキシアセトアミド、Ｎ，Ｎ−ジブチルベンゾイルアミド、Ｎ，Ｎ−ジ（２−エチルヘキシル）ベンゾイルアミド、Ｎ，Ｎ−ジブチルフェニルアセトアミド、Ｎ，Ｎ−ジ（２−エチルヘキシル）フェニルアセトアミド、Ｎ，Ｎ−ジ（２−エチルヘキシル）シクロヘキサミド、Ｎ，Ｎ−ジエチルベンズアミド、ラウロイルモルホリド、カプリルモルホリド、オレオイルモルホリド、Ｎ，Ｎ−ジ（２−エチルヘキシル）アセトアミド、Ｎ，Ｎ−ジシクロヘキシルアセトアミド、Ｎ，Ｎ−ジエチルラウロイルアミド、Ｎ，Ｎ−ジブチルラウロイルアミド、Ｎ，Ｎ−ジメチルオレオイルアミド、Ｎ，Ｎ−ジエチルオレオイルアミド及びＮ，Ｎ−ジブチルオレオイルアミド、Ｎ，Ｎ−ジオクチルメタンスルホンアミド、Ｎ，Ｎ−ジシクロヘキシルメタンスルホンアミド、Ｎ，Ｎ−ジオクチルエタンスルホンアミド、ベンゼンスルホンアミド、Ｎ−メチルベンゼンスルホンアミド、Ｎ，Ｎ−ジメチルベンゼンスルホンアミド、Ｎ−エチルベンゼンスルホンアミド、Ｎ，Ｎ−ジエチルベンゼンスルホンアミド、Ｎ−ブチルベンゼンスルホンアミド、Ｎ，Ｎ−ジブチルベンゼンスルホンアミド、Ｎ−オクチルベンゼンスルホンアミド、Ｎ，Ｎ−ジオクチルベンゼンスルホンアミド、Ｎ−ドデシルベンゼンスルホンアミド、Ｎ，Ｎ−ジシクロヘキシルベンゼンスルホンアミド、トルエンスルホンアミド、Ｎ−メチルトルエンスルホンアミド、Ｎ，Ｎ−ジメチルトルエンスルホンアミド、Ｎ−エチルトルエンスルホンアミド、Ｎ，Ｎ−ジエチルトルエンスルホンアミド、Ｎ−ブチルトルエンスルホンアミド、Ｎ，Ｎ−ジブチルトルエンスルホンアミド、Ｎ−オクチルトルエンスルホンアミド、Ｎ，Ｎ−ジオクチルトルエンスルホンアミド、Ｎ−ドデシルトルエンスルホンアミド、Ｎ−（２−ヒドロキシエチル）トルエンスルホンアミド、Ｎ−（３−メトキシプロピル）トルエンスルホンアミド、Ｎ−（３−エトキシプロピル）トルエンスルホンアミド、Ｎ−（３−オクトキシプロピル）トルエンスルホンアミド、Ｎ−（トルエンスルホニル）モルホリン、Ｎ−（ベンゼンスルホニル）ピペリジン、キシレンスルホンアミド、Ｎ，Ｎ−ジメチルキシレンスルホンアミド、Ｎ，Ｎ−ジエチルキシレンスルホンアミド、Ｎ，Ｎ−ジブチルキシレンスルホンアミド、Ｎ−オクチルキシレンスルホンアミド、クロロベンゼンスルホンアミド、Ｎ，Ｎ−ジエチルクロロベンゼンスルホンアミド、Ｎ，Ｎ−ジブチルクロロベンゼンスルホンアミド、Ｎ，Ｎ−ジメチルビフェニルスルホンアミド、Ｎ，Ｎ−ジエチル−ビフェニルスルホンアミド、Ｎ，Ｎ−ジブチルトルエンスルホンアミド、Ｎ，Ｎ−ジオクチルベンゼンスルホンアミド、Ｎ，Ｎ−ジオクチルメタンスルホンアミド、Ｎ−オクチルキシレンスルホンアミド、Ｎ，Ｎ−ジメチルヘキサミド、Ｎ，Ｎ−ジメチルオクタンアミド、Ｎ，Ｎ−ジメチルデカンアミド、Ｎ，Ｎ−ジメチルドデカンアミド、Ｎ，Ｎ−ジメチルデカミド、Ｎ，Ｎ−ジメチルテトラデカンアミドなどが挙げられる。
【００２８】
非イオン性界面活性剤
本発明の非イオン性界面活性剤は、１３〜１８の範囲のＨＬＢ（親水性−親油性バランス）値を有する。非イオン性界面活性剤のＨＬＢ値は、典型的には当業者に周知のＧＲＩＦＦＩＮ法に従って決定することができる。ＨＬＢ値は次式によって計算される：
ＨＬＢ＝（親水基部分の分子量／界面活性剤全体の分子量）×１００／５
【００２９】
非イオン性界面活性剤の例としては、グリセロール、ソルビトール、及びスクロースなどの多価アルコールがそれぞれエステル結合を介して脂肪酸に結合した構造を有する、グリセロール脂肪酸エステル、ソルビタン脂肪酸エステル、ショ糖脂肪酸エステルが挙げられる。
【００３０】
非イオン性界面活性剤の例には、ポリオキシアルキレンアルキルエーテル、ポリオキシアルキレンアルキルフェニルエーテル又はポリオキシエチレン／ポリオキシプロピレンアルキルエーテル、ポリオキシエチレン／ポリオキシプロピレンアルキルフェニルエーテル、及びこれらの混合物も含まれる。
【００３１】
非イオン性界面活性剤の例には、脂肪酸アルカノールアミド及びアルキルポリグルコシドも更に含まれる。
【００３２】
非イオン性界面活性剤の例には、ポリオキシエチレンソルビタンモノラウレート、ポリオキシエチレンソルビタンモノパルミテート、ポリオキシエチレンソルビタンモノステアレート、ポリオキシエチレンソルビタンモノオレエート、ポリオキシエチレンソルビタントリオレエート、及びこれらの混合物も更に含まれる。
【００３３】
非イオン性界面活性剤の追加的な例としては、Ｓｏｌｖａｙ社によって製造されているＲｈｏｄａｓｕｒｆ（登録商標）ＢＣシリーズ製品として販売されているものが挙げられる。
【００３４】
好ましくは、非イオン性界面活性剤は、一般式：
Ｒ４−（ＯＣＨ２ＣＨ２）ｎ−ＯＨ  （ＩＩＩ）
（式中、Ｒ４はＣ８〜Ｃ１４アルキル、好ましくはＣ１１、Ｃ１２、Ｃ１３、及びＣ１４のアルキルなどのＣ１１〜Ｃ１４アルキルであり、
ｎは、５〜１００、好ましくは５〜５０、更に好ましくは８〜４０の整数である）
によって表される化合物である。
【００３５】
あるいは、一般式（ＩＩＩ）において、Ｒ４はＣ２〜Ｃ８アルキルであり、ｎは５〜１００、好ましくは５〜５０、更に好ましくは８〜４０の整数である。
【００３６】
非イオン性界面活性剤の１つの好ましい例は、ポリオキシエチレントリデシルエーテル、特に８〜４０のエトキシル化数を有するポリオキシエチレントリデシルエーテルである。本明細書で使用される「エトキシル化数」は、エトキシル化化合物中に含まれるアルキレンオキシド繰り返し単位又はエチレンオキシド繰り返し単位の平均数を意味する。
【００３７】
いくつかの実施形態では、アジュバントは、（Ａ）アミド化合物及び（Ｂ）非イオン性界面活性剤を含有し、
アミド化合物は、一般式：
Ｒ１−（Ｃ＝Ｏ）−Ｎ（Ｒ２）（Ｒ３）  （ＩＩ）
（式中、Ｒ１はＣ４〜Ｃ２２の飽和又は不飽和の直鎖又は分岐の脂肪族炭化水素基を表し、
Ｒ２及びＲ３はメチルである）
によって表され、
非イオン性界面活性剤は、一般式：
Ｒ４−（ＯＣＨ２ＣＨ２）ｎ−ＯＨ  （ＩＩＩ）
（式中、Ｒ４はＣ８〜Ｃ１４アルキルであり、
ｎは５〜１００の整数である）
によって表される化合物である。
【００３８】
いくつかの実施形態では、アジュバントは、（Ａ）アミド化合物及び（Ｂ）非イオン性界面活性剤を含有し、
アミド化合物は、一般式：
Ｒ１−（Ｃ＝Ｏ）−Ｎ（Ｒ２）（Ｒ３）  （ＩＩ）
（式中、Ｒ１はＣ４〜Ｃ２２の飽和又は不飽和の直鎖又は分岐の脂肪族炭化水素基を表し、
Ｒ２及びＲ３はメチルである）
によって表され、
非イオン性界面活性剤は、一般式：
Ｒ４−（ＯＣＨ２ＣＨ２）ｎ−ＯＨ  （ＩＩＩ）
（式中、Ｒ４はＣ１１〜Ｃ１４アルキルであり、
ｎは８〜４０の整数である）
によって表される化合物である。
【００３９】
いくつかの実施形態では、界面活性剤組成物は、（Ａ）アミド化合物及び（Ｂ）非イオン性界面活性剤を含有し、
アミド化合物は、一般式：
Ｒ１−（Ｃ＝Ｏ）−Ｎ（Ｒ２）（Ｒ３）  （ＩＩ）
（式中、Ｒ１はＣ６〜Ｃ１２の飽和又は不飽和の直鎖又は分岐の脂肪族炭化水素基を表し、
Ｒ２及びＲ３はメチルである）
によって表され、
非イオン性界面活性剤は、一般式：
Ｒ４−（ＯＣＨ２ＣＨ２）ｎ−ＯＨ  （ＩＩＩ）
（式中、Ｒ４はＣ１１〜Ｃ１４アルキルであり、
ｎは８〜４０の整数である）
によって表される化合物である。
【００４０】
アミド化合物と非イオン性界面活性剤の重量比は、好ましくは２：３〜１９：１の範囲、より好ましくは３：４〜１５：１の範囲である。
【００４１】
別の態様では、本発明は、本明細書に記載のアジュバントを含有する水性組成物、特に水性コーティング組成物に関する。本明細書で使用される用語「コーティング組成物」には、限定するものではないが、ラテックスバインダー、樹脂、糊、接着剤（感圧接着剤を含むがこれに限定されない）、インク（ＵＶインク、従来型のインク、ハイブリッドインク、及び水性インクを含むがこれらに限定されない）、シーラント、セメント組成物、コーティング（塗料を含むがこれに限定されない）が含まれる。水性コーティング組成物の場合、本発明の水性組成物は、特に、アクリル酸、アクリル酸エステル、メタクリル酸、及びメタクリル酸エステルからなる群から選択される少なくとも１種のアクリルモノマー由来の少なくとも１種のラテックスポリマーと、少なくとも１種の顔料と、水を含んでいてもよい。水性コーティング組成物は、フィラーを更に含有していてもよい。上述したように、少なくとも１種のラテックスポリマーは、純粋なアクリル、スチレンアクリル、ビニルアクリル、又はアクリル化エチレン酢酸ビニルコポリマーであってもよい。ラテックスポリマーは水系エポキシであってもよい。ラテックスポリマーは、水性アルキド及びポリウレタン分散液であってもよい。他の同様の水性ポリマーも使用することができる。
【００４２】
アジュバント又は水性組成物は、水及び／又は有機溶媒（アルコール、ホルムアミド、アセトアミド、グリコール、グリコールエーテル、ジグリム、グリコールエーテルアセテート、及びケトン等）を更に含有していてもよい。有機溶媒の例としては、メタノール、エタノール、２−プロパノール、１−プロパノール、ブタノール、ヘキサノール、２−エチルヘキサノール、ＤＭＦ、ＤＭＡＣ、ＥＧ、ＰＧ、グリセロール、ＤＥＧ、ＴＥＧ、ヘキシレングリコール、アルキルセロソルブ、アルキルカルビトール、ＰＥＧモノアルキルエーテル、メチルグリム、エチルグリム、エチレングリコールモノメチルエーテルアセテート、アセトン、ＭＥＫが挙げられる。
【００４３】
本発明は、アジュバントの調製方法にも関し、この方法は、少なくとも（Ａ）アミド化合物と、（Ｂ）本明細書に記載の非イオン性界面活性剤とを混合する工程を含む。任意選択的には、この方法は、アジュバントを水及び／又は上述した有機溶媒と混合することも含んでいてもよい。任意選択的には、混合は例えば最大８０℃の温度までの熱などの熱を用いて行われる。
【００４４】
アジュバント、特に界面活性アジュバントは、水性組成物に配合される場合、水性組成物の表面張力を効果的に低下させることができる。典型的には、アジュバントを含有する水性組成物は、水性組成物の総重量を基準として０．５重量％未満の界面活性剤レベルであっても、３０ｍＮ／ｍ以下、好ましくは２４〜３０ｍＮ／の動的表面張力を有する。したがって、本発明は、０．３秒の表面寿命内に３０ｍＮ／ｍ以下、好ましくは２４〜３０ｍＮ／ｍの動的表面張力を有する水性組成物にも関する。好ましくは、前記水性組成物は、（Ａ）アミド化合物及び（Ｂ）本明細書に記載の非イオン性界面活性剤を含有する。
【００４５】
水性組成物は、水溶液又は分散液、水中油型エマルジョン、油中水型エマルジョン、油水油型エマルジョン、水油水型エマルジョン、油性溶液、アルコール溶液などであってもよい。
【００４６】
本発明は、本明細書に記載のアジュバントを、水及び任意選択的な本明細書に記載の追加的な成分及び有機溶媒と混合する工程を含む水性組成物の調製方法にも関する。混合は、当業者に周知の任意の手段によって行うことができる。
【００４７】
水性組成物中に存在するアミド化合物と非イオン性界面活性剤の総重量は、水性組成物の総重量を基準として０．０１％〜５％、好ましくは０．０５％〜３％、より好ましくは０．１％〜１％、更に好ましくは０．２％〜０．５％の範囲であってもよい。
【００４８】
本発明のアジュバント及び水性組成物は、それぞれ１種以上の追加的な界面活性剤を更に含有していてもよい。追加的な界面活性剤は、アニオン性界面活性剤、カチオン性界面活性剤、両性界面活性剤、又はこれらの混合物であってもよい。
【００４９】
好適なアニオン性界面活性剤の例としては、炭酸塩、スルホン酸塩、硫酸エステル塩、リン酸エステル塩などが挙げられる。アニオン性界面活性剤の例としては、Ｒｈｏｄａｐｅｘ（登録商標）ＬＡ４０Ｓ（Ｓｏｌｖａｙ社製）が挙げられる。
【００５０】
カチオン性界面活性剤の例としては、四級アンモニウム塩などのアミン塩が挙げられる。
【００５１】
両性界面活性剤としては、炭酸塩型界面活性剤などが挙げられる。炭酸塩型界面活性剤は、アミノ酸又はベタインであってもよい。
【００５２】
添加剤が本発明の効果を妨げない限り、アジュバント及び水性組成物は、それぞれ追加的な添加剤を含有していてもよい。添加剤の例としては、ポリマー、顔料、染料、油、乳化剤、分散剤、消泡剤、凝集剤、増粘剤、帯電防止剤、滑り剤、滑り止め剤、硬化剤、防腐剤、ＵＶ吸収剤、抗菌剤、帯電防止剤が挙げられる。
【００５３】
本発明の水性組成物は、希釈剤を更に含有していてもよい。希釈剤の例としては、アルコール、エーテル、エステル、ケトン、アルデヒド、脂肪族及び芳香族及び環状の炭化水素、天然香料、植物油、炭酸プロピレン、プロピレングリコール、還元ビニルピロリドン二量体、γ−ブチロラクトン、Ｎ，Ｎ−ジメチルイミダゾリドン、シクロヘキサノン及びメチルエチルケトン、ベンゾフェノン、４個より多い炭素原子を有する長鎖カルボン酸の安息香酸ベンジルエステル、又は４個より多い炭素原子を有するアルコールセグメント由来のアルキル基を有するエステル、６個より多い炭素を有するアルコール、又は高い溶解性と低い水溶性を有するこれらの活性成分のための炭化水素溶媒が挙げられる。２００℃を超える平均沸点を有する原油からの市販の蒸留物であるものを含む芳香族石油も有機希釈材として好適である。そのような材料の典型は、Ｅｘｏｎ２００又はＴｅｘａｃｏ４００の商標で販売されているものである。
【００５４】
本発明を実施例及び比較例を通して更に詳しく説明するが、本発明はこれらに限定されるものとして解釈されるべきではない。
【実施例】
【００５５】
外観の評価
以下の表１及び２に示される配合に従って水溶液をそれぞれ調製した。溶液は、成分を蒸留水と混合することによって調製した。溶液を２５℃で１時間、磁気撹拌機で攪拌した。その後、外観を観察した。均一な溶液は混和性が優れていることを示し、相分離の発生は混和性が不十分であることを示す。結果は、表１及び２の下側のパネルに示されている。
【００５６】
動的表面張力測定
動的表面張力測定は、気泡圧力張力計ＫｒｕｅｓｓＢＰ−５０を用いて行った。工程は、装置のマニュアルに従って行った。典型的には、表１及び２の配合物をそれぞれ調製し、２５℃で１時間攪拌した。その後、配合物に対して２５℃で動的表面張力測定を行った。表面張力は、表面寿命（「気泡寿命」とも呼ばれる）＝０．０３秒、０．３秒、及び３秒でそれぞれ測定した。結果は表の下側のパネルに示されている。
【００５７】
2020517434.tif 000002
【００５８】
2020517434.tif 000003
【００５９】
表１に示されているように、本発明の配合物は、優れた混和性と組み合わされた低い表面張力を示した。また、表面張力は急激に低下し、例えば表面張力は３０ｍＮ／ｍ未満に低下して０．３秒の表面寿命内でほぼ平衡に到達した。
【００６０】
表２に示されているように、アミド化合物を含まない配合物（比較例１〜３）は、表面張力の不十分な低下を示した。ＨＬＢ＝１３〜１８を有するトリデシルエトキシレートを含まない配合物（比較例４〜６）は、不十分な混和性を示した。
【００６１】
アクリルラテックスでの試験
本発明のアジュバントをアクリルラテックスで試験した。結果を下の表３に示す。
【００６２】
2020517434.tif 000004
【００６３】
本発明の組成物は、低い表面張力と優れた混和性を示した。比較例は不十分な混和性を示し、凝固物を示した。
【００６４】
スチレンアクリルラテックスでの試験
本発明のアジュバントをスチレンアクリルラテックスで試験した。結果を下の表４に示す。
【００６５】
2020517434.tif 000005
【００６６】
本発明の組成物は、低い表面張力と優れた混和性を示した。比較例は不十分な混和性を示し、凝固物を示した。
【００６７】
ＰＵラテックスでの試験
本発明のアジュバントをＰＵラテックスで試験した。結果を下の表４に示す。
【００６８】
2020517434.tif 000006
【００６９】
本発明の組成物は、低い表面張力と優れた混和性を示した。比較例は不十分な混和性を示し、凝固物を示した。
【国際調査報告】
2020517434.tif 000007
2020517434.tif 000008